(57)【特許請求の範囲】
【請求項１】
上向き蓋受部（１）を形成した本体（２）と、蓋受部（１）に載置する蓋体（３）とからなる型式の蓋付コンクリートブロックにおける騒音防止方法であって、本体（２）における蓋受部（１）に対接する蓋体（３）の左右両対接部中の右側対接部に、全長にわたり平坦な対接面（４ａ）を形成するほか、左側対接部には、中央付近に平坦な対接面（４ｂ）とこの対接面（４ｂ）の前後両部分に対接面（４ｂ）よりも適度に陥没した凹所（４ｃ）とを形成し、この凹所（４ｃ）には先鋭な突条もしくは多数の突起（５）をその先端が中央付近の対接面（４ｂ）よりも適度に突出する状態に形成したコンクリートブロックを採択し、蓋体（３）を載設した場合にこれら突条もしくは突起（５）が対向部分に衝触して先端の崩潰により蓋体（３）ががたつきなく安定的に載設されることを特徴とする蓋付コンクリートブロックにおける騒音防止方法。
【請求項２】
上向き蓋受部（１）を形成した本体（２）と、蓋受部（１）に載置する蓋体（３）とからなる型式の蓋付コンクリートブロックにおける騒音防止方法であって、本体（２）の蓋受部（１）と、この蓋受部（１）に対峙する蓋体（３）の対接部とに突条（５）を形成すると共に、これら突条（５）は蓋体（３）の載置により対向する突条（５）が交差状態に衝触するように配置し、蓋体（３）の載設に伴い少なくとも一方の突条（５）の先端が衝触による崩潰により噛み合った状態のもとに、蓋体（３）が載設されることを特徴とする蓋付コンクリートブロックにおける騒音防止方法。
【請求項３】
蓋受部（１）に蓋体（３）を載置した後、蓋体（３）に積極的に荷重もしくは振動を加えることを特徴とする請求項１または請求項２に記載の蓋付コンクリートブロックにおける騒音防止方法。
【請求項４】
蓋体（３）が本体（２）における左右両側の蓋受部（１）で支持される型式の蓋付側溝用の蓋体（３）であって、蓋受部（１）に対接する蓋体（３）における対接部の中央付近に、平坦な対接面（４ｂ）を形成すると共に、対接面（４ｂ）の前後部分には、対接面（４ｂ）よりも適度に陥没した凹所（４ｃ）を形成してこの凹所（４ｃ）に先鋭な突条もしくは多数の突起（５）をその先端が対接面（４ｂ）よりも適度に突出する状態に形成したコンクリートブロック。
【請求項５】
上向き蓋受部（１）を形成した本体（２）と、蓋受部（１）に載置する蓋体（３）とからなる型式の蓋付コンクリートブロックであって、本体（２）の蓋受部（１）と、この蓋受部（１）に対峙する蓋体（３）の対接部とに突条（５）を形成すると共に、これら突条（５）は蓋体（３）の載置により対向する突条（５）が相互に交差状態に衝触するように配置し、蓋体（３）の載設に伴い少なくとも一方の突条（５）の先端が衝触による崩潰により噛み合った状態のもとに、蓋体（３）が載設されることを特徴とする蓋付コンクリートブロック。
【請求項６】
ほぼ水平の上向き蓋受部（１）を形成した本体（２）と、蓋受部（１）に載置する蓋体（３）とからなる型式の蓋付コンクリートブロックを採択した請求項５に記載の蓋付コンクリートブロック。
【発明の詳細な説明】
【０００１】
【発明の属する技術分野】
本発明は、コンクリート製の蓋付側溝，枡等の蓋付コンクリートブロックにおける騒音防止方法並びにコンクリートブロックに関するものであり、詳しくは本体と蓋体との「がたつき」に起因して車両走行等により発生する騒音および蓋体の跳ね上げ現象を防止するための技術に関するもである。
【０００２】
【従来の技術】
従来の蓋付コンクリートブロックにおける騒音発生防止技術，蓋体の跳ね上げ防止技術は、大別して四種の型式があり、第一の型式は、本体と蓋体との対接部にゴム等の緩衝材を設けるものであり、第二の型式は、本体自体を蓋体の成形型に利用して対接部を合致させるようにしたものであり、第三の型式は、本体と蓋体との対接部を特殊形状のもとに組み合わせるようにしたものであり、また第四の型式は、本体と蓋体との対接部について、そのいずれか一方に突条または突起を設けて施工後に突条または突起が摩耗もしくは崩壊によりなじみ、がたつき等を解消するようにしたものであり、例えば特開２０００−１４４８７４あるいは特開２００２−２９４８５２等がある。
【０００３】
【発明が解決しようとする課題】
従来の技術の第一の型式は、コンクリートブロックの製作誤差の許容範囲が大きいが、緩衝材を必要である関係上、製造コストが嵩むほか、使用の経過に伴い緩衝材が劣化する欠点がある。第二の型式は、本体と蓋体との組み合わせが個々に特定されるため、量産化に適応しないばかりか、保管，取扱いが著しく煩瑣であって、実際上現場打ちに限られる。また第三の型式は、型枠を高精度に製作する必要があるばかりでなく、本体と蓋体との組み合わせが基本的要素である関係上、他の形態の製品との互換性がないばかりでなく、既設の製品に対応しない不利不便があり、しかも製作過程の誤差による捩れが生じた場合の対応が困難である。
【０００４】
蓋体が本体の左右両側で支持される蓋付側溝であって、それらブロックに捩れ状態の歪がある場合においては、本体と蓋体とは左右の支持面において、左右のいずれか１側と他側の端部との三点支持状態となって少なくとも端部一カ所に間隙が生じるのであるが、第一の型式は緩衝材により吸収し、第二の型式は歪自体を成形と同時に補償するため、それぞれ問題はないが、第三の型式は本体と蓋体との対接部の一部分に生じる間隙を何らかの方法により解消しなければならないが、スペーサによることなく間隙を解消することは極めて困難である。
【０００５】
また第四の型式は、第一〜第三の型式の欠点の対応策として好ましいが、対接部においてずれが生じ易く、また突条もしくは突起の先端崩潰の程度による補償量が少ない関係上、ブロックの歪が大きい場合に充分に対応しない不利がある。
【０００６】
そこで本発明の目的は、緩衝材あるいはスペーサ等を使用することなく、コンクリートブロック自体を特殊な形状に形成し、載設に伴い対接部に一種の加工が施されるようにし、蓋体を安定的に載設することができるようにした騒音防止および跳ね上げ防止の新技術を提供することにある。
【０００７】
【課題を解決するための手段】
本発明は上記目的を達成するため、本体２における蓋受部１に対接する蓋体３の左右両対接部中の右側対接部に、全長にわたり平坦な対接面４ａを形成するほか、左側対接部には、中央付近に平坦な対接面４ｂとこの対接面４ｂの前後両部分に対接面４ｂよりも適度に陥没した凹所４ｃとを形成し、この凹所４ｃには先鋭な突条もしくは多数の突起５をその先端が中央付近の対接面４ｂよりも適度に突出する状態に形成したコンクリートブロックを採択し、蓋体３を載設した場合にこれら突条もしくは突起５が対向部分に衝触して先端の崩潰により蓋体３ががたつきなく安定的に載設されることを特徴とする蓋付コンクリートブロックにおける騒音防止方法であり、これによりコンクリートブロックの歪に起因する対接部の一部分に生じ易い間隙を突条もしくは突起５の先端崩潰の程度により補償する。
【０００８】
請求項２の発明は、本体２の蓋受部１とこの蓋受部１に対峙する蓋体３の対接部とに突条５を形成すると共に、これら突条５は蓋体３の載置により対向する突条５が交差状態に互いに衝触するように配置し、蓋体３の載設に伴い少なくとも一方の突条５の先端が衝触による崩潰により噛み合った状態のもとに、蓋体３が載設されることを特徴とする蓋付コンクリートブロックにおける騒音防止方法である。
【０００９】
請求項３の発明は、蓋受部１に蓋体３を載置した後、蓋体３に積極的に荷重もしくは振動を加えることを特徴とする請求項１または請求項２に記載の蓋付コンクリートブロックにおける騒音防止方法。
【００１０】
請求項４の発明は、蓋受部１に対接する蓋体３における対接部の中央付近に、平坦な対接面４ｂを形成すると共に、対接面４ｂの前後部分には、対接面４ｂよりも適度に陥没した凹所４ｃを形成してこの凹所４ｃに先鋭な突条もしくは多数の突起５をその先端が対接面４ｂよりも適度に突出する状態に形成したコンクリートブロックである。
【００１１】
請求項５の発明は、本体２の蓋受部１とこの蓋受部１に対峙する蓋体３の対接部とに突条５を形成すると共に、これら突条５は蓋体３の載置により対向する突条５が相互に交差状態に衝触するように配置し、蓋体３の載設に伴い少なくとも一方の突条５の先端が衝触による崩潰により噛み合った状態のもとに、蓋体３が載設されることを特徴とする蓋付コンクリートブロックである。
【００１２】
請求項６の発明は、ほぼ水平の上向き蓋受部１を形成した本体２と、蓋受部１に載置する蓋体３とからなる型式の蓋付コンクリートブロックを採択した請求項５に記載の蓋付コンクリートブロックである。
【００１３】
本体２の蓋受部１に蓋体３を載設した場合に、突条もしくは突起５が対向部分に衝触して先端の崩潰するから、コンクリートブロックの歪に起因する対接部の一部分に生じ易い間隙を突条もしくは突起５の先端崩潰の程度により補償して、蓋体３をがたつきなく安定的に載設し、騒音を防止するばかりでなく、蓋体３跳ね上げを防止する。また突条５同士を衝触させる構成においては、突条５先端の衝触による崩潰により噛み合った状態のもとに蓋体３が載設され、蓋体３のずれを防止する。
【００１４】
【発明の実施の形態】
以下、本発明を図面に示す実施形態の参照のもとに詳細に説明する。
【００１５】
本発明の適用対象としてのコンクリート製品としては、例えば図１に示すように、上端寄りの左右内側にほぼ水平の上向き蓋受部１を段状に形成したＵ字状本体２と、蓋受部１に載置する落し蓋式の蓋体３とからなる型式の蓋付側溝コンクリートブロックを採択する。
【００１６】
上記型式に対する本発明の第一の実施形態としては、例えば図１ないし図３のように、本体２における蓋受部１に対接する蓋体３の右側対接部全長と、左側対接部の中央付近とに、蓋受部１に対応して同一平面上に位置する平坦な対接面４ａと対接面４ｂとを各別に形成すると共に、左側対接部の中央付近における対接面４ｂの前後部分は対接面４ｂよりも、適度に陥没した凹所４ｃに形成するほか、凹所４ｃには図２に詳示するように、先鋭な多数の突条５をその先端が対接面４ｂよりも適度に突出する状態に形成する。なお、突条５に代えて突起でもよい。
【００１７】
本体２における蓋受部１に蓋体３を載設すると、対接面４ａは蓋受部１に密着状態に対接すると共に、凹所４ｃにおける突条５は図３のように蓋受部１に衝触してその先端が崩潰した状態のもとに、対接面４ｂが蓋受部１に対接するのであり、この状態で対接面４ａと対接面４ｂとにより三点支持状態にすると共に、対接面４ｂの前後両部を突条５により支持する作用があり、従って蓋体３の対接部は蓋受部１の全域で接触し、がたつきなく安定的に載設することができるのである。
【００１８】
本体２または蓋体３の対接部に捩れが生じていた場合は、対接面４ａは蓋受部１に密着状態に対接するが、他側の対接部においては図４のように、突条５はその崩潰の程度が偏った状態のもとに僅かに傾斜して対接し、蓋体３の対接部は蓋受部１の全域において接触した状態のもとに、がたつきなく安定的に載設することができるのである。
【００１９】
本発明の第二の実施形態としては、図５のように、本体２の蓋受部１と、この蓋受部１に対峙する蓋体３の対接部とに突条５を形成すると共に、これら突条５は蓋体３の載置により対向する突条５が交差状態に衝触するように配置し、蓋体３の載設に伴い図６に詳示するように、（ａ）の離反状態から突条５の先端が衝触による崩潰により噛み合った（ｂ）の状態のもとに、蓋体３が載設されるようにする。
【００２０】
なお蓋受部１の突条５と蓋体３の突条５との両者を図６の（ａ）のように先鋭に形成すると、対向する両突条５が相互に噛み合うから、蓋体３の前後左右方向へのずれは確実に防止されるのであるが、図６の（ｃ）のように一側の突条５だけを先鋭に形成してもよく、要するにこの実施形態においては蓋体３の載設に伴い突条５同士が衝触して少なくとも一方の突条５が対向する突条５に噛み合うようにすることにより、突条５先端の崩潰を助勢すると同時に、ずれを防止するようにすることが肝心である。
【００２１】
既設のコンクリートブロックにおける本体２の蓋受部１としては、例えば図７の（ａ），（ｂ），（ｃ）のように種々の形状のものがあるが、同図（ａ），（ｂ）に示す本体２に対しては、それらの蓋受部１におけるの斜め上向き対接面に対応する斜め下向き対接部を有する蓋体３を採択し、斜め下向き対接部に突条５を設ければよく、また同図（ｃ）に示す部分円筒状の対接面がある本体２に対しては、前記第一の実施形態における蓋体３の対接面４ｂを欠如し、その部分に突条５を設けた蓋体３を採択してもよい。
【００２２】
前記諸実施形態において、その突条５は、左右両側対接部中の片側対接部だけに設けているが、両側の対接部に設けても差し支えなく、両側に設けることにより、補償の程度は大きくなる。また突条５の形成方向は、前後方向または左右方向のいずれでもよく、あるいは斜め方向でもよい。なお突条５，突起５の形状および寸法については、その形成範域，個数，強度，使用時の荷重等の諸要素に基づき決定されるのであって、形状については頂角が鋭角ないし鈍角の三角形断面が適当であるが、台形，半円形，方形等の各断面を採択することができ、なおこの種製品の歪は通常２ｍｍ以下の場合が多いから、突条５，突起５の高さも自ずと定まるのである。
【００２３】
なお、蓋受部１に蓋体３を載置した後に、蓋体３に対し使用時の荷重と同程度もしくはそれ以上の荷重もしくは衝撃を加えて突条５の先端の崩潰を助勢し、または蓋体３に対し適度の振動を積極的に加えて摺り合せ状態のもとに突条５の先端の崩潰を助勢することにより、安定的載設を促進するのが効果的である。
【００２４】
【発明の効果】
以上説明したように本発明によれば、次のような効果がある。
【００２５】
請求項１の発明によれば、本体２の蓋受部１に対接する蓋体３の左右両対接部中の右側対接部に、全長にわたり平坦な対接面４ａを形成するほか、左側対接部には、中央付近に平坦な対接面４ｂとこの対接面４ｂの前後両部分に対接面４ｂよりも適度に陥没した凹所４ｃとを形成し、この凹所４ｃには先鋭な突条もしくは多数の突起５をその先端が中央付近の対接面４ｂよりも適度に突出する状態に形成したコンクリートブロックを採択し、蓋体３の載設に当たりこれら突条もしくは突起５を対向部分に対する衝触により先端を崩潰させるようにしたから、対接面４ａと対接面４ｂとにより三点支持状態にすると共に、対接面４ｂの前後両部を突条もしくは多数の突起５により支持する作用があり、従って蓋体３の対接部は蓋受部１の全域において接触し、がたつくことなく安定的に載設することができるのである。
【００２６】
請求項２の発明によれば、本体２の蓋受部１と、この蓋受部１と蓋体３との両対接部に突条５を形成すると共に、これら突条５は蓋体３の載置により対向する突条５が交差状態に衝触するように配置し、蓋体３の載置に伴い突条５の先端が衝触による崩潰により噛み合うようにしたから、これによりコンクリートブロックの製造誤差特に捩れ形状により対接部の一部分に生じ易い間隙を突条５の先端崩潰の程度により補償すると共に、噛み合いによる前後左右等のずれを防止し、蓋体３をがたつきなく安定的に載設して騒音防止並びに蓋板の跳ね上げを防止することができる。
【００２７】
請求項３の発明によれば、蓋受部１に蓋体３を載置した後、蓋体３に積極的に荷重もしくは振動を加えることにより、突条もしくは突起５の先端の崩潰を助勢するようにしたから、これにより請求項１または請求項２の発明における効果のほか、施工と同時に蓋体を確実に安定させることができる。
【００２８】
請求項４および請求項５の発明における効果は、それぞれ請求項１および請求項２の発明における効果と同じであるが、請求項４の発明においては、既設コンクリートブロックにおける本体に容易に即応するから、蓋体３を交換するだけの簡単かつ経済的な手段のもとに既設コンクリートブロックを騒音防止型に変更することができる。また請求項６の発明における効果は、請求項２の発明におけると同じである。
【００２９】
なお、各請求項の発明によれば、突条５の先端の崩潰に伴って破片が生成されるが、これらの破片は、蓋受部１と蓋体３との僅かな間隙に保持されて緩衝材の作用をする効果もある。
【図面の簡単な説明】
【図１】本発明の一実施形態における蓋付コンクリートブロックの斜面図である。
【図２】図１の蓋体における要部の縦断側面図である。
【図３】図１の蓋付コンクリートブロックにおける蓋体を本体に載設した状態の要部の縦断側面図である。
【図４】図１の蓋付コンクリートブロックにおける蓋体を本体に載設した状態の要部の縦断側面図である。
【図５】他の実施形態における蓋付コンクリートブロックの斜面図である。
【図６】図５の蓋付コンクリートブロックにおける要部の縦断面図である。
【図７】既設の本体に対する蓋体の対応状態を示す要部の縦断正面図である。
【符号の説明】
１  蓋受部
２  本体
３  蓋体
４ａ  対接面
４ｂ  対接面
４ｃ  凹所
５  突起，突条
【図１】
0003713011.tif 000002
【図２】
0003713011.tif 000003
【図３】
0003713011.tif 000004
【図４】
0003713011.tif 000005
【図５】
0003713011.tif 000006
【図６】
0003713011.tif 000007
【図７】
0003713011.tif 000008